(57)【要約】【課題】ケーブル接続等の作業を必要とせず且つ適切に、カメラで撮影された撮影画像を外部機器に送信することができるカメラを提供すること。【解決手段】把持検出部２１１は、カメラ本体３の把持状態を検出する。選択画像送信処理部２１２は、カメラ本体３の把持状態が第１の把持状態の場合に、記録部１７に記録された撮影画像の中から所定の撮影画像を選択し、外部機器９に送信する処理を行う。記録画像送信処理部２１３は、カメラ本体３の把持状態が第２の把持状態の場合に、記録部１７に記録された撮影画像の一部または全部を自動的に送信対象に設定して外部機器９に送信する処理を行う。【選択図】図１２
2010045683.tif 000002
【特許請求の範囲】
【請求項１】
被写体像を撮像して撮影画像を生成する撮像部と、
前記撮影画像を記録する記録部と、
外部機器との間で近接無線通信を行う近接通信部と、
装置本体の把持状態を検出する把持検出部と、
前記把持状態が第１の把持状態の場合に、前記記録部に記録された撮影画像の中から選択した所定の撮影画像を前記近接通信部を介して前記外部機器に送信するとともに、前記把持状態が第２の把持状態の場合に、前記記録部に記録された撮影画像の一部または全部を前記近接通信部を介して前記外部機器に送信する画像送信処理部と、
を備えることを特徴とするカメラ。
【請求項２】
表示画面上の押圧位置を検出するタッチパネルを有する表示部を備え、
前記把持検出部は、前記タッチパネルによって検出される前記表示画面上の押圧位置の有無をもとに、前記把持状態を検出することを特徴とする請求項１に記載のカメラ。
【請求項３】
前記画像送信処理部は、前記外部機器との間で通信が確立した場合に、前記外部機器に受信済みの撮影画像の一覧情報を送信させ、前記近接通信部を介して前記外部機器から受信した前記一覧情報をもとに、前記記録部に記録された撮影画像のうちの未送信の撮影画像を前記外部機器に送信することを特徴とする請求項１または２に記載のカメラ。
【請求項４】
前記記録部に記録された撮影画像をユーザ操作に従って切り換えて再生表示する再生表示処理部を備え、
前記画像送信処理部は、前記把持状態が前記第１の把持状態の場合に、前記再生表示処理部によって再生表示されている撮影画像を前記所定の撮影画像として前記外部機器に送信することを特徴とする請求項１〜３のいずれか１つに記載のカメラ。
【請求項５】
前記外部機器は、表示要求とともに送信された撮影画像を当該外部機器の表示部に表示する処理を行うとともに、記録要求とともに送信された撮影画像を当該外部機器の記録部に記録する処理を行い、
前記画像送信処理部は、前記所定の撮影画像を表示要求とともに前記外部機器に送信し、前記記録部に記録された撮影画像の一部または全部を記録要求とともに前記外部機器に送信することを特徴とする請求項１〜４のいずれか１つに記載のカメラ。
【発明の詳細な説明】
【技術分野】
【０００１】
本発明は、画像を撮像するカメラに関するものである。
【背景技術】
【０００２】
近年、パソコンの普及やテレビの大画面化に伴い、デジタルカメラで撮影した撮影画像をパソコンやテレビに表示させて楽しむユーザが増えている。また、この他にも、デジタルカメラで撮影した撮影画像が蓄積されたメモリカード等の記録媒体から画像を読み出して専用の表示装置に表示するデジタルフォトフレームが実用化されている。
【０００３】
なお、カメラ本体の把持状態を判定する技術として、静止画撮影に適した第１把持位置でカメラ本体が把持されていることが検知された場合に静止画撮影ボタンの操作を有効化し、動画撮影に適した第２把持位置でカメラ本体が把持されていることが検知された場合に動画撮影ボタンの操作を有効化するようにしたものが知られている（特許文献１を参照）。
【０００４】
【特許文献１】特開２００６−１４８３４６号公報
【発明の開示】
【発明が解決しようとする課題】
【０００５】
しかしながら、カメラで撮影した撮影画像を外部機器に例えば送信して表示させる場合には、その都度カメラを外部機器とケーブル接続する等の作業が必要であり、手間であった。また、このように撮影画像を外部機器に表示させたい場合の他、撮影画像を外部機器に送信して記録（バックアップ）しておきたい場合があるが、いずれの場合も送信する撮影画像の選択操作を行う必要があり、操作が煩わしいという問題があった。
【０００６】
本発明は、上記に鑑みてなされたものであって、ケーブル接続等の作業を必要とせず且つ適切に、カメラで撮影された撮影画像を外部機器に送信することができるカメラを提供することを目的とする。
【課題を解決するための手段】
【０００７】
上述した課題を解決し、目的を達成するため、本発明にかかるカメラは、被写体像を撮像して撮影画像を生成する撮像部と、前記撮影画像を記録する記録部と、外部機器との間で近接無線通信を行う近接通信部と、装置本体の把持状態を検出する把持検出部と、前記把持状態が第１の把持状態の場合に、前記記録部に記録された撮影画像の中から選択した所定の撮影画像を前記近接通信部を介して前記外部機器に送信するとともに、前記把持状態が第２の把持状態の場合に、前記記録部に記録された撮影画像の一部または全部を前記近接通信部を介して前記外部機器に送信する画像送信処理部と、を備えることを特徴とする。
【０００８】
また、本発明にかかるカメラは、上記の発明において、表示画面上の押圧位置を検出するタッチパネルを有する表示部を備え、前記把持検出部は、前記タッチパネルによって検出される前記表示画面上の押圧位置の有無をもとに、前記把持状態を検出することを特徴とする。
【０００９】
また、本発明にかかるカメラは、上記の発明において、前記画像送信処理部は、前記外部機器との間で通信が確立した場合に、前記外部機器に受信済みの撮影画像の一覧情報を送信させ、前記近接通信部を介して前記外部機器から受信した前記一覧情報をもとに、前記記録部に記録された撮影画像のうちの未送信の撮影画像を前記外部機器に送信することを特徴とする。
【００１０】
また、本発明にかかるカメラは、上記の発明において、前記記録部に記録された撮影画像をユーザ操作に従って切り換えて再生表示する再生表示処理部を備え、前記画像送信処理部は、前記把持状態が前記第１の把持状態の場合に、前記再生表示処理部によって再生表示されている撮影画像を前記所定の撮影画像として前記外部機器に送信することを特徴とする。
【００１１】
また、本発明にかかるカメラは、上記の発明において、前記外部機器は、表示要求とともに送信された撮影画像を当該外部機器の表示部に表示する処理を行うとともに、記録要求とともに送信された撮影画像を当該外部機器の記録部に記録する処理を行い、前記画像送信処理部は、前記所定の撮影画像を表示要求とともに前記外部機器に送信し、前記記録部に記録された撮影画像の一部または全部を記録要求とともに前記外部機器に送信することを特徴とする。
【発明の効果】
【００１２】
本発明によれば、装置本体の把持状態に応じた撮影画像を外部機器に送信することができる。すなわち、第１の把持状態であれば記録部に記録された撮影画像の中から選択した所定の撮影画像を外部機器に送信し、第２の把持状態であれば記録部に記録された撮影画像の一部または全部を送信することができる。したがって、ケーブル接続等の作業を必要とせず且つ適切に、カメラで撮影された撮影画像を外部機器に送信することができる。
【発明を実施するための最良の形態】
【００１３】
以下、図面を参照し、本発明の好適な実施の形態について詳細に説明する。なお、この実施の形態によって本発明が限定されるものではない。また、各図面の記載において、同一部分には同一の符号を付して示している。
【００１４】
（実施の形態）
図１は、本発明のカメラを適用したデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図１２を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１５、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１５】
また、表示部１５には、その画面（表示領域）全域に亘ってタッチパネル１６が一体的に形成されており、このタッチパネル１６によって、画面上の位置を直接的に指定することができるようになっている。
【００１６】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１５に表示されるようになっている。ユーザは、グリップ部８を保持してカメラ本体３を構え、表示部１５のライブビュー画像を見ながらレリーズスイッチ５を押下して静止画や動画を撮影し、あるいは撮影した静止画や動画を表示部１５に表示（再生）して楽しむ。
【００１７】
このデジタルカメラ１は、図１に示すように、カメラ本体３のグリップ部８が形成された端部と反対の端部側において、パソコンや携帯電話機、テレビ等の外部機器に具備される近接通信部と近接無線通信を行うための近接通信部１９を内蔵している。なお、以下では、外部機器をノートパソコンとして例示する。
【００１８】
図３は、デジタルカメラ１と外部機器９とが通信を行う様子を側面側から示した説明図である。デジタルカメラ１の近接通信部１９は、そのアンテナがカメラ本体３の前面側に配置されるように具備される。一方、外部機器９であるノートパソコンの近接通信部９６は、そのアンテナがキーボード面側に配置されるように設けられており、互いに通信可能圏内に近接されると、デジタルカメラ１と外部機器９との間で通信が確立されるようになっている。このように、本実施の形態では、近接通信部１９の配置によって通信時のカメラ本体３の前後方向の姿勢を規定している。すなわち、外部機器９のキーボード面に対してカメラ本体３の前面側を対向させた状態でデジタルカメラ１を外部機器９に近づけると通信が確立される一方、外部機器９のキーボード面に対してカメラ本体３の背面側を近づけても通信が確立されない。また、ユーザにとっては、撮影時や再生時と同様の要領でカメラ本体３のグリップ部８を保持して外部機器９に近づければよく、デジタルカメラ１の表示部１５が見える状態で、かつ外部機器９の表示部９２も見える状態で通信が行える。これにより、通信の際、表示部１５，９２の表示によって送受信の成否や送受したデータの内容等を容易に目視確認することができる。
【００１９】
そして、本実施の形態のデジタルカメラ１は、外部機器９との間で通信が確立すると、外部機器９に対するデータの送信を行う。デジタルカメラ１から外部機器９へと送信されるデータは、デジタルカメラ１に記録されている撮影画像の画像データであるが、どの撮影画像を送信するかは、通信確立時のカメラ本体３の把持状態を検出することによって決定する。
【００２０】
図４は、本実施の形態のデジタルカメラ１が行う処理の概要を説明するフローチャートである。図４に示すように、デジタルカメラ１では、通信が確立した場合（ステップｓ１：Ｙｅｓ）、タッチパネル１６が押圧されているか否かに応じて、カメラ本体３の２通りの把持状態を検出する（ステップｓ３）。図５は、第１の把持状態を示す図である。また、図６は、第２の把持状態を示す図であり、図７は、このときのタッチパネル１６の押圧された領域Ｅ１を示す図である。
【００２１】
図５に示すように、表示部１５の表示画面の全域が見えるようにカメラ本体３を把持した状態を第１の把持状態とし、タッチパネル１６の全領域が押圧されていない場合に、カメラ本体３の把持状態をこの第１の把持状態として検出する。一方、図６に示すように、表示部１５を隠すようにしてカメラ本体３を把持した状態を第２の把持状態とし、例えば図７に示すように、タッチパネル１６の領域Ｅ１が押圧されているような場合等に、カメラ本体３の把持状態をこの第２の把持状態として検出する。
【００２２】
そして、デジタルカメラ１は、このようにして検出される把持状態に応じた撮影画像を外部機器９に送信する。すなわち、図４に示すように、把持状態が図５に示した第１の把持状態の場合には、デジタルカメラ１に記録されている撮影画像の中から選択した所定の撮影画像を外部機器９に送信する（ステップｓ５）。撮影画像の選択は、例えばユーザ操作に従って行う。あるいは、撮影日時が最新の撮影画像を自動的に選択することとしてもよい。また、再生モードにおいて最先に再生した撮影画像を自動的に選択するようにしてもよい。
【００２３】
図８は、第１の把持状態が検出された際のデータ送信を説明する図であり、図９は、この場合のデジタルカメラ１の送信画面の一例を示す図である。この第１の把持状態は、デジタルカメラ１の使用時（例えば撮影時や再生時）の持ち方と同様の持ち方ある。そこで、第１の把持状態では、デジタルカメラ１の使用中にデータの送信をしたい場合を想定する。そして、第１の把持状態で通信が確立した場合には、外部機器９に送信する撮影画像の選択操作を受け付け、選択された撮影画像を外部機器９に送信する。
【００２４】
すなわち、図８に示すように、デジタルカメラ１を第１の把持状態で外部機器９に近づけて通信を確立させると、デジタルカメラ１に記録されている撮影画像を表示部１５に再生表示し、ユーザ操作に従って再生表示する撮影画像を順次切り換えることで、送信する撮影画像の選択操作を受け付ける。そして、選択された撮影画像を外部機器９に送信する。このとき、デジタルカメラ１の表示部１５には図９に示す送信画面Ｗ１が表示される。この送信画面Ｗ１には、送信される撮影画像のサムネイルＳ１や、データの送信状態を示す送信マークＭ１等が表示され、送信する撮影画像の内容や送信状態がユーザに提示される。したがってユーザは、送信したい撮影画像を再生表示させることで選択し、選択した撮影画像を個別に外部機器９に送信することができる。
【００２５】
一方、図４に示すように、把持状態が図６に示した第２の把持状態の場合には、デジタルカメラ１に記録されている一部または全部の撮影画像を外部機器９に送信する（ステップｓ７）。本実施の形態では、外部機器９側において受信済みの撮影画像を管理するようになっており、デジタルカメラ１は、この管理情報をもとに差分を判定し、外部機器９に既に送信された撮影画像以外の未送信の撮影画像を送信する。すなわち、既に外部機器９に送信されている撮影画像がある場合にはその撮影画像を除いて送信し、既に送信されている撮影画像がなければ全ての撮影画像を送信する。
【００２６】
図１０は、第２の把持状態が検出された際のデータ送信を説明する図であり、図１１は、この場合のデジタルカメラ１の送信画面の一例を示す図である。第２の把持状態で通信が確立した場合、すなわち、図１０に示したように表示部１５を隠した持ち方で通信が確立したときには、例えばデジタルカメラ１に記録されている撮影画像を外部機器９に一括送信する。このとき、デジタルカメラ１の表示部１５には図１１に示す送信画面Ｗ３が表示される。この送信画面Ｗ３には、デジタルカメラ１に記録されている撮影画像のサムネイルＳ３が一覧表示される。なお、この送信画面Ｗ３におけるサムネイルＳ３の表示は必ずしも必要なものではなく、特に表示を行わない構成としてもよい。
【００２７】
このように、外部機器９との通信が確立した際の把持状態を検出することで、第１の把持状態である表示画面の全域が見えるような把持状態の場合に、デジタルカメラ１に記録されている撮影画像の中から選択した所定の撮影画像を外部機器９に送信することができる。一方、第２の把持状態である表示画面を隠した把持状態の場合には、デジタルカメラ１に記録されている撮影画像のうちの一部または全部を外部機器９に送信することができる。
【００２８】
図１２は、デジタルカメラ１および外部機器９の主要内部構成の一例を示すブロック図である。図１２に示すように、デジタルカメラ１は、撮像部１１、画像処理部１２、変位検出部１３、操作部１４、表示部１５、タッチパネル１６、記録部１７、時計部１８、近接通信部１９、制御部２１等を備える。
【００２９】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００３０】
画像処理部１２は、撮像部１１から出力された画像データに対して各種の画像処理を施すとともに、記録用や表示用に適した画像データに変換する処理を行う。例えば、撮影画像の画像データを記録する際、あるいは記録部１７に記録された画像データを表示する際等に、ＪＰＥＧ（Joint Photographic Experts Group）方式等に基づく画像データの圧縮処理や伸張処理を行う。
【００３１】
変位検出部１３は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００３２】
図１３は、変位検出部１３によるカメラ本体３の変位検出を説明するための図である。図１３に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。変位検出部１３は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１３は、加速度センサの検出結果をもとにカメラ本体３の移動量を検出するとともに、角速度センサの検出結果をもとにカメラ本体３の回転量を検出し、カメラ本体３の変位として検出する。
【００３３】
図１４，図１５−１〜３は、加速度センサを用いたカメラ本体３の移動量の検出原理の一例を説明する図である。図１４に示すように、加速度センサは、チップ表面に固定された固定電極２２１，２２３と、この固定電極２２１，２２３上に架橋され、加速度に起因して矢印Ａ１の方向に移動する可動電極２２５とを有する。そして、固定電極２２１と可動電極２２５との間の静電容量の変化および固定電極２２３と可動電極２２５との間の静電容量の変化を検出して加速度を検出する。この加速度センサの出力（図１５−１）を積分することで速度が得られ（図１５−２）、さらに積分することで移動量が得られる（図１５−３）。また、図１６は、角速度センサを用いたカメラ本体３の回転量の検出原理の一例を説明する図である。図１７に示すように、角速度センサは、圧電セラミック素子が形成された一対の振動体２３１，２３２を有し、この振動体２３１，２３２を図１６中に示す振動方向に振動させた状態で、コリオリ力を利用して角速度を検出するものである。そして、この角速度センサの出力を積分することで回転量が得られる（図１７）。
【００３４】
操作部１４は、撮影の開始指示、撮影モードや再生モード、通信モードといったモードの選択操作、撮影条件の設定操作等、ユーザによる各種操作を受け付けて操作信号を制御部２１に通知するためのものである。この操作部１４は、図２のレリーズスイッチ５やボタンスイッチ７を含む。
【００３５】
表示部１５は、撮影された撮影画像やライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影された撮影画像が表示される。
【００３６】
また、デジタルカメラ１は、操作部１４とは別に、表示部１５の画面上に形成され、手指や専用のスタイラスペン等によるタッチ操作によって各種の操作入力を行うタッチパネル１６を備える。このタッチパネル１６は、感圧式や光学式、静電容量式、電磁誘導式等の検出原理によってタッチ操作位置を例えば画面を構成するドット単位で検出するものであり、タッチ操作された表示部１５上の位置を感知し、タッチ操作位置の位置座標を検出して制御部２１に出力する。
【００３７】
図１８および図１９は、タッチパネル１６の検出原理の一例を説明する図である。図１８に示すように、タッチパネル１６は、それぞれ帯状の透明抵抗膜１６２，１６４が形成された２枚の透明フィルム１６１，１６３を有しており、その透明抵抗膜１６２，１６４が互いに直交するように透明フィルム１６１，１６３が対向配置されて構成されている。そして、図１９に示すように、タッチパネル１６が押圧（タッチ）されて透明抵抗膜１６２，１６４が接触するとこれらの間が導通するようになっており、この導通位置をタッチ操作位置として検出する。
【００３８】
記録部１７は、デジタルカメラ１を動作させ、このデジタルカメラ１が備える種々の機能を実現するための各種のカメラプログラムや、このカメラプログラムの実行中に使用されるデータ等を記録しておくためのものであり、撮影された撮影画像の画像データや、外部機器９から受信したコンテンツデータ等を記録しておくためのものである。また、この記録部１７には、ユーザが再生モード等で再生した最先の撮影画像を識別するための画像番号が最先再生画像番号として更新記録されるようになっている。この記録部１７は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３９】
時計部１８は、日付および時刻を計時するためのものである。この時計部１８が計時する現在時刻によって、撮影画像の撮影日および撮影時刻が特定され、撮影画像は、撮影日および撮影時刻とともに記録部１７に記録されるようになっている。
【００４０】
近接通信部１９は、外部機器９との間で近接無線通信を行うためのものであり、アンテナによって外部機器９の近接通信部９６との間で電波信号を送受信し、受信信号を復調処理するとともに、送信信号を変調処理する送受信回路等を備える。この近接通信部１９からは、その存在を報知する通信信号が定期的に送出されるようになっている。通信信号は、外部機器９の電源を投入するためのものであり、この通信信号によって外部機器９を自動的に電源投入できるようにしている。
【００４１】
制御部２１は、ＣＰＵ等で実現され、操作部１４からの操作信号等に応じて記録部１７からカメラプログラムを読み出して実行し、デジタルカメラ１を構成する各部に対する指示やデータの転送等を行ってデジタルカメラ１の動作を統括的に制御する。この制御部２１は、把持検出部２１１と、選択画像送信処理部２１２と、差分判定部２１４を有する記録画像送信処理部２１３とを含み、上記したカメラプログラムは、制御部２１を把持検出部２１１、選択画像送信処理部２１２および記録画像送信処理部２１３として機能させるためのプログラムを含む。
【００４２】
把持検出部２１１は、カメラ本体３の把持状態を検出する。選択画像送信処理部２１２は、カメラ本体３の把持状態が図５に示した第１の把持状態の場合に、送信する撮影画像をユーザ操作に従って選択し、選択した撮影画像を送信対象として外部機器９に送信する処理を行う。記録画像送信処理部２１３は、カメラ本体３の把持状態が図６に示した第２の把持状態の場合に、記録部１７に記録された撮影画像の一部または全部を自動的に送信対象に設定して外部機器９に送信する処理を行う。差分判定部２１４は、外部機器９で管理される受信済画像一覧を取得して未送信の撮影画像を判定する。
【００４３】
一方、外部機器９は、図１２に示すように、操作部９１、表示部９２、通信部９３、放送受信部９４、記録部９５、近接通信部９６、制御部９７等を備える。
【００４４】
操作部９１は、例えば、キーボードやマウス、リモコン、タッチパネル、各種スイッチ等の各種入力装置によって実現されるものであり、操作入力に応じた操作信号を制御部９７に出力する。テレビを視聴する場合には、操作部９１によってチャンネルの選択、音量の増減等の各種操作を入力する。表示部９２は、ＬＣＤやＥＬディスプレイ等の表示装置によって実現されるものであり、制御部９７から入力される表示信号に基づいて各種画面を表示する。
【００４５】
通信部９３は、インターネットへの接続等の処理を行うためのものであり、ネットワークＮを介して接続される他の装置との間でデータ通信を行う。ここで、ネットワークＮは、例えば、インターネットおよびインターネットに接続するための回線やＩＳＰサーバ等のことであり、各種通信回線と、それらを接続するインターネットプロバイダ等を含む。
【００４６】
放送受信部９４は、テレビ放送サービスを提供する放送局から送出される放送番組の放送波を受信するためのものである。この放送受信部９４は、アンテナやチューナ等で構成され、アンテナによって受信された放送信号の中から選択されたチャンネルの信号を選局し、復調処理等の信号処理を行って放送番組の映像データおよび音データを制御部９７に出力する。
【００４７】
記録部９５は、外部機器９を動作させ、この外部機器９が備える種々の機能を実現するためのプログラムや、このプログラムの実行中に使用されるデータ等を記録しておくためのものであり、インターネットに接続する等して取得したコンテンツデータ、デジタルカメラ１から受信した撮影画像の画像データ等を記録しておくためのものである。この記録部９５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００４８】
近接通信部９６は、外部機器９との間で近接無線通信を行うためのものであり、アンテナによってデジタルカメラ１の近接通信部１９との間で電波信号を送受信し、受信信号を復調処理するとともに、送信信号を変調処理する送受信回路等で構成される。この近接通信部９６は、デジタルカメラ１から送出される通信信号を受信することでアンテナに生じた電磁誘導によって、停止状態または待機状態にある制御部９７を起動する起動部９６１を備えている。
【００４９】
制御部９７は、ＣＰＵ等で実現され、操作部９１から入力される操作信号、記録部９５に記録されるプログラムやデータ等に基づいて外部機器９を構成する各部への指示やデータの転送等を行い、外部機器９の動作を統括的に制御する。この制御部９７は、デジタルカメラ１から既に取得（受信）した撮影画像の一覧情報である受信済画像一覧を管理情報として管理する受信済画像管理部９７１を含み、記録部９５には、制御部９７を受信済画像管理部９７１として機能させるためのプログラムが格納される。
【００５０】
次に、デジタルカメラ１が行う処理手順について説明する。図２０は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップａ１：Ｙｅｓ）、制御部２１は、撮像部１１を起動して画像を取り込み（ステップａ３）、取り込んだ画像をライブビュー画像として表示部１５に表示する処理を行う（ステップａ５）。そして、撮影指示がない間は（ステップａ７：Ｎｏ）、ステップａ３に戻って処理を繰り返し、ライブビュー画像を１フレーム毎に更新表示させる。そして、レリーズスイッチ５が押下されて撮影が指示された場合には（ステップａ７：Ｙｅｓ）、撮影処理を行って、生成した撮影画像を記録部１７に記録する（ステップａ９）。そして、制御部２１は、撮影画像の記録を終えると、ステップａ４９に移行する。
【００５１】
一方、現在のモードが撮影モードではなく（ステップａ１：Ｎｏ）、再生モードの場合には（ステップａ１１：Ｙｅｓ）、制御部２１は、再生表示処理部として記録部１７に記録された撮影画像の再生処理を行い、撮影画像を順次再生画像として切り換えて表示部１５に表示する（ステップａ１３）。このとき、過去に撮影された撮影画像を先ずサムネイル形式で一覧表示させることとしてもよい。そして、一覧の中から選択された撮影画像を再生画像として再生表示することとしてもよい。
【００５２】
続いて、制御部２１は、近接通信部１９を起動して定期的な通信信号の送出を開始するとともに（ステップａ１５）、タイマを起動して計時処理を開始する（ステップａ１７）。このタイマは、通信信号の送出を開始してからの経過時間を計時するためのものである。そして、デジタルカメラ１と外部機器９との間で通信が確立すると（ステップａ１９：Ｙｅｓ）、選択画像送信処理部２１２が、再生画像（再生中の撮影画像）を表示要求とともに外部機器９に送信する処理を行い（ステップａ２１）、その後ステップａ２３に移行して近接通信部１９をＯＦＦする。なお、ステップａ１９で通信が確立した後、さらに入力される送信指示に応じて再生画像を送信するようにしてもよい。この送信指示は、例えば図２に示したボタンスイッチ７の押下操作やタッチパネル１６のタッチ操作等、適宜の手法で実現できる。あるいは、カメラ本体３の動きによって送信指示を行うこととしてもよい。この場合には、例えば、変位検出部１３による変位検出の結果をもとにカメラ本体３の動きが予め設定された送信指示に従った動きか否かを判定する。
【００５３】
一方、デジタルカメラ１と外部機器９との間で通信が確立しない間は（ステップａ１９：Ｎｏ）、制御部２１は、ステップａ１７で起動したタイマの計時を判定する。そして、通信を確立してから所定時間が経過しない間は（ステップａ２５：Ｎｏ）、ステップａ３３に移行する。一方、通信を確立してから所定時間が経過した場合には（ステップａ２５：Ｙｅｓ）、制御部２１は、タイマをリセットし（ステップａ２７）、近接通信部１９をＯＦＦして（ステップａ２３）、ステップａ２９に移行する。
【００５４】
ステップａ２９では、再生する撮影画像の選択操作を受け付ける。そして、選択操作があれば（ステップａ２９：Ｙｅｓ）、制御部２１は、再生画像を選択された撮影画像に切り換えて表示部１５に表示する（ステップａ３１）。その後、ステップａ１５に戻る。また、再生する撮影画像の選択操作がない場合には（ステップａ２９：Ｎｏ）、ステップａ３３に移行する。
【００５５】
ステップａ３３では、制御部２１は、再生モードの終了判定を行い、終了する場合には（ステップａ３３：Ｙｅｓ）、ステップａ４９に移行する。再生モードを終了しない場合には（ステップａ３３：Ｎｏ）、制御部２１は、ステップａ１９に戻る。
【００５６】
このように、再生モードでは、再生する撮影画像を切り換える度に通信信号の送出を開始し、通信信号の送出を開始してから所定時間が経過するまでの間に外部機器９との間で通信が確立すれば、再生中の撮影画像を外部機器９に送信する。一方、通信信号の送出を開始してから所定時間が経過するまでの間に外部機器９との間で通信が確立しない場合には、近接通信部１９をＯＦＦする。これにより、通信信号の送出に伴う電力消費を低減することができる。
【００５７】
また、現在のモードが再生モードではなく（ステップａ１１：Ｎｏ）、通信モードの場合には（ステップａ３５：Ｙｅｓ）、制御部２１は、近接通信部１９を起動して通信信号の送出処理を開始する（ステップａ３７）。続いて把持検出部２１１が、タッチパネル１６からの出力をもとにカメラ本体３の把持状態を検出する（ステップａ３９）。具体的には、把持検出部２１１は、タッチパネル１６からの出力をもとにタッチパネル１６に対する押圧位置の有無を判定する。そして、把持検出部２１１は、タッチパネル１６が押圧されていなければ、カメラ本体３の把持状態を図５に示した第１の把持状態として検出し、押圧されている場合には、カメラ本体３の把持状態を図６に示した第２の把持状態として検出する。そして、ステップａ３９で検出した把持状態が第２の把持状態ではなく、第１の把持状態である表示画面の全域が見えるような把持状態であれば（ステップａ４１：Ｎｏ）、ステップａ４３で記録部１７に記録された撮影画像の再生処理を行った後、ステップａ１７に移行して上記した処理を行う。
【００５８】
一方、第２の把持状態である表示画面を隠した把持状態の場合には（ステップａ４１：Ｙｅｓ）、記録画像送信処理に移る（ステップａ４５）。図２１は、記録画像送信処理の手順を示すフローチャートである。
【００５９】
記録画像送信処理では先ず、差分判定部２１４が、受信済画像一覧の送信依頼を外部機器９に送信する（ステップｂ１）。ここで送信される送信依頼に応じて、外部機器９からは、外部機器９において受信済みの撮影画像を管理していれば受信済画像一覧のデータが、管理していなければ受信済みの撮影画像のない旨が、デジタルカメラ１に送信されるようになっている（図２２のステップｃ７〜ステップｃ１１を参照）。
【００６０】
差分判定部２１４は、外部機器９から受信済画像一覧を受信した場合には（ステップｂ３：Ｙｅｓ）、受信済画像一覧をもとに記録部１７に記録された撮影画像との差分（外部機器９に対して未送信の撮影画像）を判定して送信対象の撮影画像を設定する（ステップｂ５）。そして、記録画像送信処理部２１３が、設定した送信対象の撮影画像を記録要求とともに外部機器９に差分送信する処理を行い（ステップｂ７）、図２０のステップａ４５にリターンしてその後ステップａ４７に移行する。一方、受信済画像一覧が受信されない場合、すなわち受信済みの撮影画像のない旨を受信した場合には（ステップｂ３：Ｎｏ）、差分判定部２１４は、記録部１７に記録された全ての撮影画像を送信対象に設定する（ステップｂ９）。そして、記録画像送信処理部２１３は、設定した送信対象の撮影画像を記録要求とともに外部機器９に一括送信する処理を行い（ステップｂ１１）、図２０のステップａ４５にリターンしてその後ステップａ４７に移行する。
【００６１】
すなわち、ステップａ４７では、制御部２１が近接通信部１９をＯＦＦし、その後ステップａ４９に移行する。
【００６２】
そして、ステップａ４９では、基本処理を終了するか否かを判定する。例えば、ボタンスイッチ７の操作によって電源ＯＦＦが指示された場合には、本処理を終える（ステップａ４９：Ｙｅｓ）。一方、終了しない場合には（ステップａ４９：Ｎｏ）、ステップａ１に戻る。
【００６３】
次に、本実施の形態の外部機器９が行う処理手順について説明する。図２２は、外部機器９が行う基本処理の手順を示すフローチャートである。
【００６４】
図２２に示すように、外部機器９では、通信信号を送出しているデジタルカメラ１の近接通信部１９が外部機器９の近接通信部９６の通信可能圏内に近接されると、この通信信号の受信によって近接通信部９６のアンテナに電磁誘導が生じ、デジタルカメラ１との間で通信が確立する（ステップｃ３：Ｙｅｓ）。そして、デジタルカメラ１からの受信済画像一覧の送信依頼を受信した場合には（ステップｃ５：Ｙｅｓ）、ステップｃ７に移行する。すなわち、受信済画像管理部９７１が、受信済みの撮影画像がある場合、すなわちこのデジタルカメラ１から受信した撮影画像を管理している場合に（ステップｃ７：Ｙｅｓ）、受信済画像一覧をデジタルカメラ１に送信する（ステップｃ９）。一方、受信済画像管理部９７１は、受信済みの撮影画像がない場合、すなわちこのデジタルカメラ１から受信した撮影画像を管理していない場合には（ステップｃ７：Ｎｏ）、受信済みの撮影画像がない旨をデジタルカメラ１に送信する（ステップｃ１１）。
【００６５】
続いて、撮影画像を受信するまで待機状態となり、受信した場合には（ステップｃ１３：Ｙｅｓ）、制御部９７は、要求内容を判定する（ステップｃ１５）。そして、制御部９７は、記録要求とともに受信した撮影画像を記録部９５に記録する処理を行い（ステップｃ１７）、その後ステップｃ３７に移行する。一方、制御部９７は、表示要求とともに受信した撮影画像を表示部９２に表示する処理を行い（ステップｃ１９）、その後ステップｃ３７に移行する。なお、表示要求とともに受信した撮影画像についても、記録部９５に記録するようにしてもよい。
【００６６】
一方、ユーザ操作によってテレビの視聴が指示された場合には（ステップｃ２１：Ｙｅｓ）、制御部９７は、ユーザが選択したチャンネルの放送番組を出力するための処理を行う（ステップｃ２３）。テレビの視聴終了が指示された場合には、ステップｃ３７に移行する。また、ユーザ操作によってインターネットの接続指示が入力された場合には（ステップｃ２５：Ｙｅｓ）、制御部９７は、ネットワークＮを介してユーザが指定したサイトに接続するための処理を行う（ステップｃ２７）。インターネットへの接続の切断が指示された場合には、ステップｃ３７に移行する。
【００６７】
また、ユーザ操作によってコンテンツの記録指示が入力された場合には（ステップｃ２９：Ｙｅｓ）、ユーザが指定したコンテンツデータを記録部９５に記録する処理を行う（ステップｃ３１）。ここで記録されるコンテンツデータは、例えば、ステップｃ２７で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部９５に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｃ３７に移行する。
【００６８】
また、ユーザ操作によってコンテンツデータの再生指示が入力された場合には（ステップｃ３３：Ｙｅｓ）、ユーザが指定したコンテンツデータを記録部９５から読み出して再生する処理を行う（ステップｃ３５）。ここで再生されるコンテンツデータは、インターネットに接続等してダウンロードし、ステップｃ３１で記録部９５に記録したコンテンツデータの他、ステップｃ１３（Ｙｅｓ）〜ステップｃ１７で受信し記録部９５に記録したデジタルカメラ１からの静止画データや動画データ、音データが含まれる。コンテンツデータの再生終了が指示された場合には、ステップｃ３７に移行する。
【００６９】
そして、ステップｃ３７では、基本処理を終了するか否かを判定し、終了する場合には（ステップｃ３７：Ｙｅｓ）、本処理を終える。一方、終了しない場合には（ステップｃ３７：Ｎｏ）、ステップｃ３に戻る。
【００７０】
以上説明したように、本実施の形態によれば、再生モード中に外部機器９との間で通信が確立した場合には、再生中の撮影画像を外部機器９に送信することができる。そして、この撮影画像を外部機器９の表示部９２に表示させることができる。一方、通信モード中に外部機器９との間で通信が確立した場合には、タッチパネル１６によってカメラ本体３の把持状態を検出し、第２の把持状態である表示画面を隠した把持状態の場合には、外部機器９において未受信の撮影画像を自動的に外部機器９に送信することができる。そして、この撮影画像を外部機器９の記録部９５に記録させることができる。また、第１の把持状態である表示画面の全域が見えるような把持状態の場合には再生モードに移り、撮影画像を個別に外部機器９に送信することができる。したがって、ユーザは、撮影画像の再生中にデジタルカメラ１を外部機器９に近づけるだけのワンアクションで、再生している撮影画像を外部機器９に送信することができる。これによれば、ケーブル接続等の作業を必要とせずに、デジタルカメラ１で再生中の撮影画像を例えば大画面の外部機器９に適切に再生表示させて鑑賞するといったことが可能となる。一方、カメラ本体３を第２の把持状態で把持して外部機器９に近づけるだけのアクションで、デジタルカメラ１に記録されている撮影画像を外部機器９にバックアップとして記録させるといったことが可能となる。
【００７１】
ここで、近接通信部１９，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている静止画データ、動画データ、音データ等の撮影データの一部または全部を瞬時に外部機器９に送信することができる。
【００７２】
以上、この発明の好適な実施の形態について説明したが、この発明は、上記したものに限定されず、発明の趣旨を逸脱しない範囲で適宜変更が可能である。
【００７３】
（変形例１）
上記した実施の形態では、デジタルカメラ１において、再生モードにおいて再生画像が切り換えられる度に所定時間の間通信信号を送出するようにし、この所定時間内に外部機器９との通信が確立した場合に再生中の撮影画像を外部機器９に送信することとしたが、これに限定されない。図２３は、変形例１のデジタルカメラが行う基本処理の手順を示すフローチャートである。なお、図２３において、図２０と同様の処理工程には同一の符号を付している。
【００７４】
図２３に示すように、変形例１では、ステップａ１３の再生処理の後、変位検出部１３がカメラ本体３の変位を検出する（ステップｄ１４）。そして、制御部２１は、変位検出部１３による変位検出の結果をもとにカメラ本体３の動きを検出し、カメラ本体３の動きが予め設定された所定パターンに従った動きの場合に（ステップｄ１５：Ｙｅｓ）、ステップａ１５に移行して近接通信部１９を起動し、通信信号の送出処理を開始する。カメラ本体３の動きが所定パターンに従った動きでなければ、ステップａ２９に移行する。ここで、検出する所定パターンは、カメラ本体３のどのような動きを定義したものであってもよいが、例えばカメラ本体３をスライドさせる動き等のように、単純なワンアクションでできる動きが好ましい。
【００７５】
また、現在のモードが通信モードの場合に（ステップａ３５：Ｙｅｓ）、変位検出部１３がカメラ本体３の変位を検出する（ステップｄ３６）。そして、制御部２１は、変位検出部１３による変位検出の結果をもとにカメラ本体３の動きを検出し、カメラ本体３の動きが予め設定された所定パターンに従った動きの場合に（ステップｄ３７：Ｙｅｓ）、ステップａ３７に移行して近接通信部１９を起動し、通信信号の送出処理を開始する。
【００７６】
これによれば、カメラ本体３の変位をもとに所定パターンに従ったカメラ本体３の動きを検出し、ユーザがカメラ本体３を所定パターンに従って動かした場合に通信信号の送出を開始することができる。カメラ本体３がユーザの意思で所定パターンに従って動かされない限りは外部機器９との通信が行われない。したがって、外部機器９に対する通信信号の発信に伴う電力消費をより低減させることができる。一方、ユーザにとっては、再生中の撮影画像を外部機器９に表示して見たい場合に、カメラ本体３を外部機器９に近づけて所定パターンに従って動かすだけでよく、操作が煩雑になることもない。
【００７７】
（変形例２）
変形例２では、加速度センサや角速度センサ等の変位検出部１３による変位検出の結果をもとにカメラ本体３の所定パターンに従った動きを検出することとしたが、画像処理によってカメラ本体３の変位を検出するようにしてもよい。図２４は、この場合のデジタルカメラ１ａの主要内部構成の一例を示すブロック図である。なお、図２４において、上記した実施の形態と同様の構成には同一の符号を付している。変形例２のデジタルカメラ１ａは、図１２の変位検出部１３にかえて画像変化検出部２４ａを備える。
【００７８】
画像変化検出部２４ａは、撮像部１１から出力される画像データをもとにフレーム間の動きを検出するためのものであり、１フレーム毎に撮像部１１によって取り込まれる画像に映る同一の被写体位置の変化量を表す動きベクトルを算出する。そして、デジタルカメラ１ａの制御部２１ａは、画像変化検出部２４ａによって算出された動きベクトルをもとにカメラ本体３の移動方向を検出することで、所定のパターンに従ったカメラ本体３の動きを検出する。変形例２によれば、角速度センサや加速度センサを備えないデジタルカメラであっても、新たな構成を追加することなく所定パターンに従ったカメラ本体３の動きを検出することができる。
【００７９】
図２５は、変形例２のデジタルカメラが行う基本処理の手順を示すフローチャートである。なお、図２５において、図２０と同様の処理工程には同一の符号を付している。図２５に示すように、変形例２では、ステップａ１３の再生処理の後、画像変化検出部２４ａが１フレーム毎に撮像部１１から取り込まれる画像間の動きを検出する（ステップｅ１４）。そして、制御部２１ａは、画像変化検出部２４ａによる検出結果をもとにカメラ本体３の動きを検出し、カメラ本体３の動きが予め設定された所定パターンに従った動きの場合に（ステップｅ１５：Ｙｅｓ）、ステップａ１５に移行して近接通信部１９を起動し、通信信号の送出処理を開始する。
【００８０】
また、現在のモードが通信モードの場合に（ステップａ３５：Ｙｅｓ）、画像変化検出部２４ａが１フレーム毎に撮像部１１から取り込まれる画像間の動きを検出する（ステップｅ３６）。そして、制御部２１ａは、画像変化検出部２４ａによる検出結果をもとにカメラ本体３の動きを検出し、カメラ本体３の動きが予め設定された所定パターンに従った動きの場合に（ステップｅ３７：Ｙｅｓ）、ステップａ３７に移行して近接通信部１９を起動し、通信信号の送出処理を開始する。
【００８１】
（他の変形例）
また、上記した実施の形態では、外部機器９をノートパソコンとして例示したが、例えばテレビを外部機器とすることとしてもよい。図２６は、デジタルカメラ１とテレビ９ｂとが通信を行う様子を側面側から示した説明図である。図２６に示すように、テレビ９ｂの近接通信部９６ｂは、表示部９２ｂが配設される前面にアンテナが配置されるように設けられている。そして、この近接通信部９６ｂとデジタルカメラ１の近接通信部１９とが互いに通信可能圏内に近接されると、デジタルカメラ１とテレビ９ｂとの間で通信が確立される。したがって、デジタルカメラ１の表示部１５が見える状態で、かつテレビ９ｂの表示部９２ｂも見える状態で通信が行える。
【００８２】
また、上記した実施の形態では、タッチパネル１６に対する押圧位置の有無をもとにカメラ本体３の把持状態を検出する場合について説明したが、これに限定されるものではない。図２７は、本変形例における表示部の概略構成を説明する説明図である。図２７では、表示部の例として、液晶パネル２５１の背面にバックライト２５２が配置された表示装置を示している。図２７に示すように、液晶パネル２５１内に複数の光センサ２５３を例えば等間隔で分散配置しておく。そして、光センサ２５３の出力をもとに把持状態を検出することとしてもよい。具体的には、表示画面上を覆う物体Ｏ１（デジタルカメラ１を把持するユーザの手）によって反射したバックライト光を光センサ２５３によって検出し、第２の把持状態を検出することとしてもよい。
【００８３】
また、上記した実施の形態１、変形例１および変形例２では、図４に示して説明した概略フローの処理をデジタルカメラのモードの１つである通信モードに適用した場合を例にとって説明した。すなわち、通信モード中に外部機器との通信が確立した際にカメラ本体の把持状態を検出し、検出結果に応じた撮影画像を外部機器に送信することとしたが、これに限定されるものではない。すなわち、再生モード中に外部機器との通信が確立した際にカメラ本体の把持状態を検出するようにしてもよい。これによれば、再生モード中にカメラ本体が第１の把持状態から第２の把持状態に持ちかえられたような場合であっても、その把持状態に応じて適切な撮影画像を外部機器に送信することができる。
【００８４】
また、特定のデジタルカメラと外部機器との間で通信を行うように構成してもよい。この場合には、予めデジタルカメラおよび外部機器において撮影画像を送受する相手を登録しておく。そして、通信が確立した相手が登録されている場合には撮影画像の送受信を行い、登録されていない場合には、送受信を行わない。
【００８５】
また、上記した実施の形態では、外部機器９に起動部９６１を設けた場合について説明したが、デジタルカメラに起動部を設けることとしてもよい。そして、外部機器から通信信号を定期的に送出することとし、この通信信号を受信したときにデジタルカメラが起動される構成としてもよい。これによれば、外部機器から送出される通信信号によってデジタルカメラを自動的に起動することができる。そしてこの場合には、通信が確立したときに自動的に図４に示した概略フローの処理を行うこととしてもよい。すなわち、デジタルカメラが外部機器に近づけられたときのカメラ本体の把持状態を検出し、検出した把持状態をもとに、所定の撮影画像を選択して外部機器に送信し、あるいはデジタルカメラに記録されている一部または全部の撮影画像を外部機器に送信する。このとき、カメラ本体の把持状態が第１の把持状態のときには、例えば、最新の撮影画像あるいは最先の再生画像を自動的に選択して送信することとしてもよいし、上記した実施の形態と同様にして再生モードの処理を行うようにしてもよい。
【００８６】
また、上記した実施の形態では、デジタルカメラ１から外部機器９に対して撮影画像を送信する場合について説明したが、デジタルカメラから送信されるデータは、このデジタルカメラで撮影された静止画の他、動画のデータを含む。また、動画の撮影中に図示しないマイクで集音された音データ等のデジタルカメラで録音された音データを送信するようにしてもよい。
【００８７】
また、上記した実施の形態では、撮影データを送信するカメラの例としてデジタルカメラについて説明したが、カメラに限らず、例えば携帯電話機やゲーム機、ノートパソコン、携帯型の音楽プレーヤ等、所定のデータを記録しておくものであって、このデータを他の機器との間で送受が可能な携帯端末に適用できる。例えば、携帯端末の一例である携帯型の音楽プレーヤにおいて、外部機器に対して音楽データを送信する場合に適用可能である。また、携帯型の音楽プレーヤにおいて、外部機器に対し、音楽データと併せて例えばＣＤジャケットの画像データといったその音楽データに関連付けられたデータを送信する場合にも、同様に適用可能である。
【００８８】
また、上記した実施の形態では、デジタルカメラから外部機器に対して撮影データを送信する場合について説明したが、外部機器から送信された所定のコンテンツデータをデジタルカメラで受信する場合にも同様に適用できる。
【図面の簡単な説明】
【００８９】
【図１】デジタルカメラの前面側を示す概略斜視図である。
【図２】デジタルカメラの背面側を示す概略斜視図である。
【図３】デジタルカメラと外部機器とが通信を行う様子を側面側から示した説明図である。
【図４】本実施の形態のデジタルカメラが行う処理の概要を説明するフローチャートである。
【図５】第１の把持状態を示す図である。
【図６】第２の把持状態を示す図である。
【図７】タッチパネルの押圧された領域を示す図である。
【図８】第１の把持状態のときのデータ送信を説明する図である。
【図９】第１の把持状態のときのデジタルカメラの送信画面の一例を示す図である。
【図１０】第２の把持状態のときのデータ送信を説明する図である。
【図１１】第２の把持状態のときのデジタルカメラの送信画面の一例を示す図である。
【図１２】デジタルカメラおよび外部機器の主要内部構成の一例を示すブロック図である。
【図１３】変位検出部によるカメラ本体の変位検出を説明するための図である。
【図１４】加速度センサを用いたカメラ本体の移動量の検出原理の一例を説明する図である。
【図１５−１】加速度センサを用いたカメラ本体の移動量の検出原理を説明する他の図である。
【図１５−２】加速度センサを用いたカメラ本体の移動量の検出原理を説明する他の図である。
【図１５−３】加速度センサを用いたカメラ本体の移動量の検出原理を説明する他の図である。
【図１６】角速度センサを用いたカメラ本体の回転量の検出原理を説明する図である。
【図１７】角速度センサを用いたカメラ本体の回転量の検出原理を説明する他の図である。
【図１８】タッチパネルの検出原理を説明する図である。
【図１９】タッチパネルの検出原理を説明する他の図である。
【図２０】デジタルカメラが行う基本処理の手順を示すフローチャートである。
【図２１】記録画像送信処理の手順を示すフローチャートである。
【図２２】外部機器が行う基本処理の手順を示すフローチャートである。
【図２３】デジタルカメラが行う基本処理の手順の変形例を示すフローチャートである。
【図２４】デジタルカメラの主要内部構成の変形例を示すブロック図である。
【図２５】デジタルカメラが行う基本処理の手順の変形例を示すフローチャートである。
【図２６】デジタルカメラとテレビとが通信を行う様子を側面側から示した説明図である。
【図２７】変形例における表示部の概略構成を説明する説明図である。
【符号の説明】
【００９０】
１      デジタルカメラ
３      カメラ本体
４      撮像レンズ
５      レリーズスイッチ
７      ボタンスイッチ
８      グリップ部
１１      撮像部
１２      画像処理部
１３      変位検出部
１４      操作部
１５      表示部
１６      タッチパネル
１７      記録部
１８      時計部
１９      近接通信部
２１      制御部
２１１      把持検出部
２１２      選択画像送信処理部
２１３      記録画像送信処理部
２１４      差分判定部
９      外部機器
９１      操作部
９２      表示部
９３      通信部
９４      放送受信部
９５      記録部
９６      近接通信部
９６１      起動部
９７      制御部
【図１】
2010045683.tif 000003
【図２】
2010045683.tif 000004
【図３】
2010045683.tif 000005
【図４】
2010045683.tif 000006
【図５】
2010045683.tif 000007
【図６】
2010045683.tif 000008
【図７】
2010045683.tif 000009
【図８】
2010045683.tif 000010
【図９】
2010045683.tif 000011
【図１０】
2010045683.tif 000012
【図１１】
2010045683.tif 000013
【図１２】
2010045683.tif 000014
【図１３】
2010045683.tif 000015
【図１４】
2010045683.tif 000016
【図１５−１】
2010045683.tif 000017
【図１５−２】
2010045683.tif 000018
【図１５−３】
2010045683.tif 000019
【図１６】
2010045683.tif 000020
【図１７】
2010045683.tif 000021
【図１８】
2010045683.tif 000022
【図１９】
2010045683.tif 000023
【図２０】
2010045683.tif 000024
【図２１】
2010045683.tif 000025
【図２２】
2010045683.tif 000026
【図２３】
2010045683.tif 000027
【図２４】
2010045683.tif 000028
【図２５】
2010045683.tif 000029
【図２６】
2010045683.tif 000030
【図２７】
2010045683.tif 000031